(57)【要約】【課題】  転がり軸受のクリープ試験を短時間且つ安価に行うことができると共に、静止輪クリープ発生時の転がり軸受の諸特性を定量的に測定することができる転がり軸受の静止輪クリープ試験装置および試験方法を提供する。【解決手段】  外輪４０と、複数の玉４２を介して外輪４０に対し回転自在に配置された内輪４１と、を備えた供試転がり軸受１７の静止輪クリープ試験装置１０は、外輪４０を嵌合固定された前ハウジング２３と、内輪４１を回転させる軸１２と、供試転がり軸受１７に荷重を負荷する荷重負荷手段１３と、ロードセル１４と、外輪４０のクリープに伴って円周方向に変位するように外輪４０に固定され、且つロードセル１４に接続されたトルクバー１５と、を具備し、外輪４０に作用するトルクを測定する。【選択図】        図１
2006029788.tif 000002
【特許請求の範囲】
【請求項１】
静止輪と、複数の転動体を介して前記静止輪に対し回転自在に配置された回転輪と、を備えた転がり軸受の静止輪クリープ試験装置であって、
前記静止輪を嵌合固定された固定部材と、
前記回転輪を回転させる駆動手段と、
前記転がり軸受に荷重を負荷する荷重負荷手段と、
ロードセルと、
前記静止輪のクリープに伴って円周方向に変位するように該静止輪に固定され、且つ前記ロードセルに接続された従動子と、
を具備し、
前記静止輪に作用するトルクを測定することを特徴とする転がり軸受の静止輪クリープ試験装置。
【請求項２】
静止輪と、複数の転動体を介して前記静止輪に対し回転自在に配置された回転輪と、を具備した転がり軸受の静止輪クリープ試験装置であって、
前記静止輪を嵌合固定された固定部材と、
前記回転輪を回転させる駆動手段と、
前記転がり軸受に荷重を負荷する荷重負荷手段と、
前記静止輪を連続して撮像する撮像手段と、
を備え、
前記撮像手段により撮像された連続画像から前記静止輪の回転速度を測定することを特徴とする転がり軸受の静止輪クリープ試験装置。
【請求項３】
前記固定部材の温度を制御する温度制御手段を備えたことを特徴とする請求項１または請求項２に記載の転がり軸受の静止輪クリープ試験装置。
【請求項４】
静止輪と、複数の転動体を介して前記静止輪に対し回転自在に配置された回転輪と、を具備した転がり軸受の静止輪クリープ試験方法であって、
ロードセルと、前記静止輪のクリープに伴って円周方向に変位するように該静止輪に固定され、且つ前記ロードセルに接続された従動子と、により前記静止輪に作用するトルクを測定することを特徴とする転がり軸受の静止輪クリープ試験方法。
【請求項５】
静止輪と、複数の転動体を介して前記静止輪に対し回転自在に配置された回転輪と、を具備した転がり軸受の静止輪クリープ試験方法であって、
撮像手段により前記静止輪を連続して撮像し、
前記撮像手段により撮像された連続画像から前記静止輪の回転速度を測定することを特徴とする転がり軸受の静止輪クリープ試験方法。
【発明の詳細な説明】
【技術分野】
【０００１】
本発明は、転がり軸受の静止輪クリープ試験装置および試験方法に関する。
【背景技術】
【０００２】
自動車用のオルタネータ、マニュアルトランスミッション、オートマチックトランスミッションのギヤ支持、あるいはベルト式無段変速機のプーリ支持など、大きな荷重を負荷された状態で用いられる転がり軸受は、軸受の回転に伴って静止輪（内輪回転で使用される転がり軸受においては外輪、外輪回転で使用される転がり軸受においては内輪）と、静止輪が嵌合するハウジング（転がり軸受が内輪回転で使用される場合）または軸（転がり軸受が外輪回転で使用される場合）との間で相対的な回転、所謂クリープが発生する場合がある。
【０００３】
このクリープは、主に、軸受に負荷された荷重、および／または温度変化によって静止輪が変形し、静止輪とハウジングまたは軸との嵌め合いが緩むことにより発生する。そして、クリープが発生すると、静止輪とハウジングまたは軸との嵌合面が磨耗して転がり軸受の機能が損なわれる虞がある。
【０００４】
このような静止輪クリープの発生を防止するために、静止輪をフランジ一体型とし、ハウジングとフランジとをボルト等で固定する方法、静止輪にピンなどの回止め部材を植設してハウジングまたは軸に設けた溝穴にピンを係合させたもの、静止輪とハウジングまたは軸との嵌合部にＯリングを配置したもの、デフリックコートなどの表面処理を施したもの、など、種々の防止策が提案されている。
【０００５】
そして、静止輪にクリープ防止策が施された転がり軸受のクリープ防止効果を評価するためのクリープ試験は、従来、実際に使用されるハウジングまたは軸に転がり軸受を組み込み、回転試験を行った後の静止輪の摩耗量を評価することにより行われていた。
【０００６】
また、発光素子と受光素子とを対向配置した検出器を設け、転がり軸受の静止輪に発光素子からの光を遮蔽する検出板を取り付けて、クリープが発生した際には検出板によって発光素子からの光を遮蔽することにより、クリープの発生を早期に検出するようにしたものも知られている（例えば、特許文献１参照。）。
【特許文献１】実開平２−３１６８号公報（第３−４頁、第１図）
【発明の開示】
【発明が解決しようとする課題】
【０００７】
従来の摩耗量の評価によるクリープ試験方法では、評価結果を得るまでに長時間を要するばかりでなく、一度使用したハウジングまたは軸は摩耗しているため再使用することができず、クリープ試験に多くの費用や時間がかかる問題があった。また、特許文献１に開示されているクリープ検出装置は、クリープの発生の有無を検出するものであって、クリープを定量的に把握するものではなく、クリープ発生時の転がり軸受の諸特性を取得・解析して更なるクリープ防止策に反映することができず、改善の余地があった。
【０００８】
本発明は、前述した課題に鑑みてなされたものであり、その目的は、転がり軸受のクリープ試験を短時間且つ安価に行うことができると共に、静止輪クリープ発生時の転がり軸受の諸特性を定量的に測定することができる転がり軸受の静止輪クリープ試験装置および試験方法を提供することにある。
【課題を解決するための手段】
【０００９】
前述した目的を達成するために、本発明に係る転がり軸受の静止輪クリープ試験装置は、下記（１）〜（３）を特徴としている。
【００１０】
（１）  静止輪と、複数の転動体を介して前記静止輪に対し回転自在に配置された回転輪と、を備えた転がり軸受の静止輪クリープ試験装置であって、
前記静止輪を嵌合固定された固定部材と、
前記回転輪を回転させる駆動手段と、
前記転がり軸受に荷重を負荷する荷重負荷手段と、
ロードセルと、
前記静止輪のクリープに伴って円周方向に変位するように該静止輪に固定され、且つ前記ロードセルに接続された従動子と、
を具備し、
前記静止輪に作用するトルクを測定すること。
【００１１】
上記した転がり軸受の静止輪クリープ試験装置によれば、荷重負荷手段により転がり軸受に荷重を負荷しながら転がり軸受の回転輪を回転させ、転がり軸受の静止輪にクリープが発生したときに、静止輪と共に円周方向に変位する従動子と、従動子に接続されたロードセルとによって、静止輪に作用する回転トルクのトルク値を測定するので、クリープの発生を即座に検出して、静止輪を嵌合固定された固定部材を磨耗させることなく短時間に且つ安価にクリープ試験を行うことができると共に、クリープ発生時に静止輪に作用するトルク値を定量的に把握することができる。
【００１２】
（２）  静止輪と、複数の転動体を介して前記静止輪に対し回転自在に配置された回転輪と、を具備した転がり軸受の静止輪クリープ検出装置であって、
前記静止輪を嵌合固定された固定部材と、
前記回転輪を回転させる駆動手段と、
前記転がり軸受に荷重を負荷する荷重負荷手段と、
前記静止輪を連続して撮像する撮像手段と、
を備え、
前記撮像手段により撮像された連続画像から前記静止輪の回転速度を測定すること。
【００１３】
上記した転がり軸受の静止輪クリープ試験装置によれば、荷重負荷手段により転がり軸受に荷重を負荷しながら転がり軸受の回転輪を回転させ、転がり軸受の静止輪を撮像手段によって連続的に撮像し、撮像された静止輪の連続画像から静止輪の回転速度を測定するので、クリープの発生を即座に検出して、静止輪を嵌合固定された固定部材を磨耗させることなく短時間に且つ安価にクリープ試験を行うことができると共に、クリープ発生時に静止輪の回転速度を定量的に把握することができる。
【００１４】
（３）  上記（１）または（２）に記載の転がり軸受の静止輪クリープ試験装置において、
前記固定部材の温度を制御する温度制御手段を備えたこと。
【００１５】
上記構成の転がり軸受の静止輪クリープ試験装置によれば、静止輪を嵌合固定される固定部材の温度を温度制御手段により制御し、種々の温度環境下（例えば、一定温度、高温・低温環境など）における静止輪クリープ発生時の転がり軸受の諸特性を定量的に測定することができ、また、温度変化によるクリープの発生も定量的に測定することができる。
【００１６】
また、本発明に係る転がり軸受の静止輪クリープ試験方法は、下記（４）および（５）を特徴としている。
【００１７】
（４）  静止輪と、複数の転動体を介して前記静止輪に対し回転自在に配置された回転輪と、を具備した転がり軸受の静止輪クリープ試験方法であって、
ロードセルと、前記静止輪のクリープに伴って円周方向に変位するように該静止輪に固定され、且つ前記ロードセルに接続された従動子と、により前記静止輪に作用するトルクを測定すること。
【００１８】
上記した転がり軸受の静止輪クリープ試験方法によれば、転がり軸受の静止輪にクリープが発生したときに、静止輪と共に円周方向に変位する従動子と、従動子に接続されたロードセルとによって、静止輪に作用する回転トルクのトルク値を測定するので、クリープの発生を即座に検出して、静止輪を嵌合固定された固定部材を磨耗させることなく短時間に且つ安価にクリープ試験を行うことができると共に、クリープ発生時に静止輪に作用するトルク値を定量的に把握することができる。
【００１９】
（５）  静止輪と、複数の転動体を介して前記静止輪に対し回転自在に配置された回転輪と、を具備した転がり軸受の静止輪クリープ試験方法であって、
撮像手段により前記静止輪を連続して撮像し、
前記撮像手段により撮像された連続画像から前記静止輪の回転速度を測定すること。
【００２０】
上記した転がり軸受の静止輪クリープ試験方法によれば、転がり軸受の静止輪を撮像手段によって連続的に撮像し、撮像された静止輪の連続画像から静止輪の回転速度を測定するので、クリープの発生を即座に検出して、静止輪を嵌合固定された固定部材を磨耗させることなく短時間に且つ安価にクリープ試験を行うことができると共に、クリープ発生時に静止輪の回転速度を定量的に把握することができる。
【発明の効果】
【００２１】
本発明の転がり軸受の静止輪クリープ試験装置および試験方法によれば、転がり軸受のクリープ試験を短時間且つ安価に行うことができると共に、静止輪クリープ発生時の転がり軸受の諸特性を定量的に測定することができる。これにより得られたデータから、転がり軸受の諸元や使用条件などの各種条件とクリープ発生時に静止輪に作用するトルクや静止輪の回転速度との関係を解析することにより、有効なクリープ防止対策の検討が可能となる。
【００２２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２３】
以下、本発明に係る好適な実施形態を図面に基づいて詳細に説明する。
【００２４】
図１は本発明の一実施形態である内輪回転型転がり軸受の静止輪クリープ試験装置の正面図、図２は図１におけるII−II矢視縦断面図である。
【００２５】
図１及び図２に示されるように、転がり軸受の静止輪クリープ試験装置（以後、単に静止輪クリープ試験装置と呼ぶ。）１０は、ベースハウジング１１と、不図示のモータに接続されて駆動手段を構成する回転軸１２と、荷重負荷手段１３と、ロードセル１４と、従動子であるトルクバー１５と、撮像手段であるビデオカメラ１６と、を備えている。
【００２６】
また、静止輪クリープ試験装置１０には、クリープ試験に供される供試転がり軸受１７と、供試転がり軸受１７と同一の回転軸１２に装着されたサポート軸受１８、１９とが組み込まれている。クリープ試験に供される転がり軸受１７は、外輪４０と、内輪４１と、外輪４０と内輪４１との間に周方向に転動自在に配設された複数の転動体である玉４２とから構成された、例えば、呼び番号６２０６（内径３０ｍｍ、外径６２ｍｍ、幅１６ｍｍ）の深溝玉軸受である。また、サポート軸受１８、１９は、例えば、呼び番号６３０７の深溝玉軸受である。
【００２７】
ベースハウジング１１は、高い剛性を有する鋼材から略直方体形状に形成され、内部に軸受室２０が設けられている。ベースハウジング１１の前方壁および後方壁には、同一軸線上に整列するように形成された円形の挿通孔が穿設されており、この挿通孔に、略円盤状の前取付枠２１および後取付枠２２が嵌合して固定されている。
【００２８】
前取付枠２１および後取付枠２２には、ベースハウジング１１に固定された状態において同一軸線上に整列するように形成された円形の取付孔２１ａ、２２ａがそれぞれ穿設されており、ハウジング取付孔２１ａ、２２ａには、アルミニウムや鉄から略円筒状に形成された固定部材である前ハウジング２３および後ハウジング２４が嵌合し且つ交換可能に取り付けられている。
【００２９】
そして、前ハウジング２３は一端部を前取付枠２１の前方端面より軸方向に突出させて配置されており、該一端部の内周面２３ａには供試転がり軸受１７の静止輪である外輪４０が嵌合して固定されている。供試転がり軸受１７の内輪４１は回転軸１２の一端部に外嵌して固定されている。後ハウジング２４の内周面２４ａにはサポート軸受１８の外輪４３が嵌合して固定されおり、また、サポート軸受１８の内輪４４は回転軸１２に外嵌して固定されている。回転軸１２は、供試転がり軸受１７およびサポート軸受１８により回動自在に支持されており、回転軸１２の一端部（供試転がり軸受１７が固定された端部とは他方の端部）１２ａは、ベースハウジング１１から突出して配設され、例えばモータなどの駆動装置（図示せず）に連結されて、供試転がり軸受１７を回転させる駆動手段を構成している。
【００３０】
回転軸１２において、供試転がり軸受１７とサポート軸受１８との中間部には、複列のサポート軸受１９の内輪が外嵌して固定されている。サポート軸受１９の外輪には、円環状の荷重受け部材３８が外嵌しており、荷重受け部材３８は、後述する荷重負荷手段１３の押圧棹３７に接触している。
【００３１】
前ハウジング２３の前記一端部（即ち、内周面２３ａに供試転がり軸受１７の外輪４０を嵌合固定された端部）の周壁には、連通孔２６が円周方向に所定の幅を持って水平に穿設されており、この連通孔２６を通して、棒状のトルクバー１５が、外輪４０の軸線に向けて水平に且つ半径方向に沿って配置され、その先端部を外輪４０の外周面に固定されている。
【００３２】
そして、トルクバー１５の基端部の鉛直上方には、ベースハウジング１１に固定されてロードセル１４が配置されており、トルクバー１５の前記基端部とロードセル１４とはワイヤなどにより接続されている。
【００３３】
ロードセル１４は、作用する荷重を荷重の大きさに比例した大きさの電気信号（電圧値或いは電流値）に変換し、信号線５２ａを介して演算装置５１に出力する。尚、ロードセル１４は、供試転がり軸受１７の静止輪である外輪４０が固定された前ハウジング２３と実質的に一体であるベースハウジング１１に固定されていることが、静止輪クリープ試験のために重要である。
【００３４】
荷重負荷手段１３は、ベースハウジング１１の側部に隣接して配設されており、内部にバネを収納した押圧子３０と、てこを用いて押圧子３０の付勢力を増幅する増幅機構と、押圧棹３７とにより構成されている。
【００３５】
前記増幅機構は、第１のてこ３１と、第２のてこ３４とを備えている。第１のてこ３１は一端部を押圧子３０により付勢されると共に、他端部に設けられた支点３２により該支点３２を中心に揺動可能に支持されている。第１のてこ３１の中間部には自在継ぎ手３３が設けられており、第２のてこ３２の一端部に連結されている。第２のてこ３４は、自在継ぎ手３３に連結された一端部とは他方の端部に設けられた支点３５により該支点３５を中心に揺動可能に支持されている。第２のてこ３４の中間部には、負荷荷重測定用ロードセル３６を介して押圧棹３７が接続されている。
【００３６】
押圧棹３７は、ベースハウジング１１の側壁２５に設けられた挿通孔２５ａに挿通され、その先端部は、回転軸１２の略中間部にサポート軸受１９を介して配置された荷重受け部材３８に接続されている。押圧子３０の付勢力は、自在継ぎ手３３を介して、第１のてこ３１および第２のてこ３２により増幅されて押圧棹３７に伝達され、そして、荷重受け部材３８および回転軸１２を介して供試転がり軸受１７にラジアル荷重として負荷される。
【００３７】
尚、押圧棹３７により荷重受け部材３８に負荷される荷重は負荷荷重測定用ロードセル３６により測定される。荷重負荷手段１３を、バネおよびてこを用いた増幅機構を備えた構成とすることにより、油圧式などと比較して装置をコンパクトに構成することができ、あらゆる場所で測定することができる。
【００３８】
前ハウジング２３の前方の開口端部（図２において左側面）には、透明ガラスや透明アクリル樹脂などからなる透視板２７が取り付けられており、透視板２７を通して外部から軸受室２０内の、少なくとも供試転がり軸受１７の外輪４０および前ハウジング２３の内周面２３ａを視認可能となっている。
【００３９】
尚、透視板２７は、供試転がり軸受１７に供給された潤滑剤が、供試転がり軸受１７の回転に伴って周囲に飛散して周辺環境を汚染するのを防止することを主目的としており、供試転がり軸受１７がグリース潤滑されたシール付き軸受などのように潤滑剤による周辺環境汚染の虞がない場合には省略してもよい。
【００４０】
ビデオカメラ１６は、透視板２７に対向して配置され、透視板２７を介して軸受室２０内の少なくとも供試転がり軸受１７の外輪４０を、時間的に連続してまたは所定の時間毎に断続して撮像し（即ち、被写体の光学像を電気信号に変換し）、信号線５２ｂを介して演算装置５１に出力する。
【００４１】
また、前ハウジング２３には温度制御手段であるヒータ装置（図示せず）が組み込まれており、前ハウジング２３の温度を制御可能とされている。これにより、供試転がり軸受１７の運転により前ハウジング２３の温度が上昇して定常状態に達したときの状態を、短時間で且つ容易に再現し、信頼性の高いクリープ試験を実施することを可能としている。
【００４２】
演算装置５１は、周知のＣＰＵ（即ち、Ｃｅｎｔｒａｌ  Ｐｒｏｃｅｓｓｉｎｇ  Ｕｎｉｔ）、ＲＯＭ（即ち、Ｒｅａｄ  Ｏｎｌｙ  Ｍｅｍｏｒｙ）、ＲＡＭ（Ｒａｎｄｏｍ−Ａｃｃｅｓｓ  Ｍｅｍｏｒｙ）、ハードディスク、等（いずれも不図示）から構成され、ロードセル１４およびビデオカメラ１６から出力された電気信号を記録し、もしくはＲＯＭなどに記憶された制御プログラムに基づいて、前記電気信号をもとに、外輪４０のクリープ発生時において外輪４０に作用するトルク値、外輪４０の回転速度などを演算し、また各種解析を行う。
【００４３】
次に、上述した転がり軸受の静止輪クリープ試験装置１０の動作、即ち試験方法を説明する。
【００４４】
転がり軸受の静止輪クリープ検出装置１０において、荷重負荷手段１３の押圧子３０に収納されたバネを所定の付勢力に設定し、前記増幅機構により所定の倍率で増幅した付勢力において押圧棹３７により荷重受け部材３８を押圧し、供試転がり軸受１７に荷重を負荷する。また、ヒータ装置により前ハウジング２３を所定の温度に加熱する。
【００４５】
回転軸１２をモータにより図２矢印Ｂ方向に回転させ、供試転がり軸受１７の内輪４１を同方向に回転させる。玉４２を介して内輪４１から外輪４０に伝達される回転トルクが、前ハウジング２３と外輪４０との嵌合力を上回ると、前ハウジング２３に対して外輪４０が相対的に図１矢印Ｃ方向に回転し、外輪４０のクリープが発生する。
【００４６】
外輪４０の回転に伴い、トルクバー１５が同方向に回転し、トルクバー１５の前記基端部が円周方向に変位する。トルクバー１５の前記基端部は、外輪４０に作用するトルクに応じた引張荷重をもってロードセル１４に接続されたワイヤ５０を引張り、ロードセル１４に荷重を伝達する。ロードセル１４が、伝達された荷重をその大きさに比例した電気信号に変換し、信号線５２ａを介して演算装置５１に出力する。
【００４７】
また、ビデオカメラ１６が、透視板２７を通して供試転がり軸受１７の外輪４０および前ハウジング２３を時間的に連続的して、または所定の時間毎に断続して撮像し、信号線５２ｂを介して演算装置５１に出力する。
【００４８】
演算装置５１が、ロードセル１４およびビデオカメラ１６から出力された電気信号を記録し、もしくはＲＯＭなどに記憶された制御プログラムに基づいて、前記電気信号をもとに、外輪４０のクリープ発生時において外輪４０に作用するトルク値、外輪４０の回転速度を演算する。
【００４９】
これにより、供試転がり軸受１７のクリープ試験が短時間且つ安価に行われると共に、供試転がり軸受１７の静止輪である外輪４０のクリープ発生時における外輪４０に作用するトルク値、外輪４０の回転速度が定量的に測定される。
【００５０】
上述した転がり軸受の静止輪クリープ試験装置および試験方法によれば、荷重負荷手段１３により供試転がり軸受１７に荷重を負荷しながら供試転がり軸受１７の回転輪である内輪４１を回転させ、供試転がり軸受１７の静止輪である外輪４０にクリープが発生したときに、外輪４０と共に円周方向に変位する従動子であるトルクバー１５と、トルクバー１５にワイヤ５０を介して接続されたロードセル１４とによって、外輪４０に作用する回転トルクのトルク値を測定するので、クリープの発生を即座に検出することができ、外輪４０を嵌合固定された固定部材である前ハウジング２３を磨耗させることなく短時間に且つ安価にクリープ試験を行うことができると共に、クリープ発生時に外輪４０に作用するトルク値を定量的に把握することができる。
【００５１】
また、前ハウジング２３は交換可能にベースハウジング１１に取り付けられているので、外輪４０のクリープにより磨耗した際にも、前ハウジング２３を交換するだけでよく、よって安価にクリープ試験を行うことができる。
【００５２】
また、荷重負荷手段１３により供試転がり軸受１７に荷重を負荷しながら供試転がり軸受１７の回転輪である内輪４１を回転させ、供試転がり軸受１７の静止輪である外輪４０を撮像手段であるビデオカメラ１６によって連続的に撮像し、撮像された外輪４０の連続画像から外輪４０の回転速度を測定するので、クリープの発生を即座に検出して、外輪４０を嵌合固定された固定部材である前ハウジング２３を磨耗させることなく短時間に且つ安価にクリープ試験を行うことができると共に、クリープ発生時に外輪４０の回転速度を定量的に把握することができる。
【００５３】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００５４】
例えば、上述した実施形態では、転がり軸受の静止輪クリープ試験装置は、内輪回転型転がり軸受の静止輪クリープ試験装置として説明したが、これに限定されるものではなく、外輪回転型転がり軸受の静止輪クリープ試験装置としてもよく、この場合でも同様の効果を奏する。
【００５５】
また、従動子であるトルクバー１５は供試転がり軸受１７の外輪４０の外周面に固定されるものとして説明したが、これに限定されるものではなく、即ち静止輪クリープ発生時に静止輪と共に円周方向に変位すればよく、内輪回転型転がり軸受の場合は外輪の軸方向端面、外輪回転型転がり軸受の場合は内輪の軸方向端面に固定されてもよい。
【００５６】
また、供試転がり軸受１７を回転させる駆動手段を、回転軸１２およびモータにより構成したものとして説明したが、これに限定されるものではなく、例えば、モータの回転軸と回転軸１２との間に、歯車列やベルトなどの増速機構を介在させてもよい。また、モータの替わりに、作業者の手や脚などの人力によって回転軸１２を回転させるようにしてもよい。
【図面の簡単な説明】
【００５７】
【図１】本発明の一実施形態である転がり軸受の静止輪クリープ試験装置の正面図である。
【図２】図１におけるII−II矢視縦断面図である。
【符号の説明】
【００５８】
１０      転がり軸受の静止輪クリープ試験装置
１１      ベースハウジング
１２      回転軸（駆動手段）
１３      荷重負荷手段
１４      ロードセル
１５      トルクバー（従動子）
１６      ビデオカメラ（撮像手段）
１７      供試転がり軸受
２３      前ハウジング（固定部材）
４０      外輪（静止輪）
４１      内輪（回転輪）
４２      玉（転動体）
【図１】
2006029788.tif 000003
【図２】
2006029788.tif 000004